(57)【要約】【課題】  通信方式や通信設定を自動的に切換可能な通信技術を提供することを目的とする。【解決手段】  第１の端末装置（１１）及び第１の充電装置（１４）を有する通信システムであって、前記第１の端末装置は、複数の通信方式又は通信設定で通信可能な通信手段（１２，１３）を有し、前記第１の充電装置は、前記第１の端末装置を充電可能な充電手段（１６）と、前記第１の端末装置と通信可能な通信手段（１５）とを有する通信システムが提供される。【選択図】        図１
2006340002.tif 000002
【特許請求の範囲】
【請求項１】
第１の端末装置及び第１の充電装置を有する通信システムであって、
前記第１の端末装置は、
複数の通信方式又は通信設定で通信可能な通信手段を有し、
前記第１の充電装置は、
前記第１の端末装置を充電可能な充電手段と、
前記第１の端末装置と通信可能な通信手段とを有することを特徴とする通信システム。
【請求項２】
前記第１の端末装置は、前記第１の充電装置との通信が通信圏内の間は第１の通信方式又は第１の通信設定で通信を行い、前記第１の充電装置との通信が通信圏外になった場合には前記第１の通信方式又は第１の通信設定と異なる第２の通信方式又は第２の通信設定を用いて通信を行うことを特徴とする請求項１記載の通信システム。
【請求項３】
前記第１の端末装置は、前記第１の充電装置との通信が通信圏外になった場合、前記第２の通信方式又は前記第２の通信設定へ切り換えると共に、他の端末装置に前記第２の通信方式又は前記第２の通信設定への切り換え要求を送信することを特徴とする請求項２記載の通信システム。
【請求項４】
さらに、第２の端末装置及び第２の充電装置を有し、
前記第２の端末装置は、
複数の通信方式又は通信設定で通信可能な通信手段を有し、
前記第２の充電装置は、
前記第２の端末装置を充電可能な充電手段と、
前記第２の端末装置と通信可能な通信手段とを有し、
前記第１の端末装置と前記第１の充電装置との通信が通信圏外であり、前記第２の端末装置と前記第２の充電装置との通信が通信圏外である場合には、前記第１及び第２の端末装置は、前記第２の通信方式又は前記第２の通信設定で通信を行い、その後、前記第１の端末装置のみが前記第１の充電装置に対して通信圏内に移動した場合には、前記第１及び第２の端末装置は、前記第２の通信方式又は前記第２の通信設定を維持することを特徴とする請求項２記載の通信システム。
【請求項５】
前記第１の端末装置と前記第１の充電装置との通信が通信圏外であり、前記第２の端末装置と前記第２の充電装置との通信が通信圏外である場合には、前記第１及び第２の端末装置は、前記第２の通信方式又は前記第２の通信設定で通信を行い、その後、前記第１の端末装置が前記第１の充電装置に対して通信圏内に移動し、かつ前記第２の端末装置が前記第２の充電装置に対して通信圏内に移動した場合には、前記第１及び第２の端末装置は、前記第１の通信方式又は前記第１の通信設定で通信を行うことを特徴とする請求項２記載の通信システム。
【請求項６】
前記第１の端末装置は、通信方式又は通信設定を切り換えようとする時、利用者に通信方式又は通信設定を切り換えて良いかどうかの確認を行うことを特徴とする請求項２〜５のいずれか１項に記載の通信システム。
【請求項７】
前記第１の端末装置は、第１の記憶手段を有し、通信方式又は通信設定を切り換えている最中に生成された通信データを前記第１の記憶手段に記憶し、通信方式又は通信設定の切り換えが完了した後に前記第１の記憶手段に記憶した通信データを送信することを特徴とする請求項２〜６のいずれか１項に記載の通信システム。
【請求項８】
第１の端末装置及び第１の充電装置の通信方法であって、
前記第１の端末装置は、前記第１の充電装置との通信が通信圏内の間は第１の通信方式又は第１の通信設定で通信を行う第１の通信ステップと、
前記第１の端末装置は、前記第１の充電装置との通信が通信圏外になった場合には前記第１の通信方式又は第１の通信設定と異なる第２の通信方式又は第２の通信設定を用いて通信を行う第２の通信ステップと
を有することを特徴とする通信方法。
【請求項９】
複数の通信方式又は通信設定で通信可能な通信手段と、
充電装置との通信が通信圏内の間は第１の通信方式又は第１の通信設定で通信を行い、充電装置との通信が通信圏外になった場合には前記第１の通信方式又は第１の通信設定と異なる第２の通信方式又は第２の通信設定を用いて通信を行う通信制御手段と
を有することを特徴とする端末装置。
【請求項１０】
端末装置を充電可能な充電手段と、
端末装置と通信可能な通信手段と
を有することを特徴とする充電装置。
【発明の詳細な説明】
【技術分野】
【０００１】
本発明は、通信に関する。
【背景技術】
【０００２】
インターネットや携帯電話、ＰＨＳ、無線ＬＡＮといったネットワーク網の普及と共に、いつでもどこでもネットワークを利用できるユビキタス環境が徐々に整いつつある。特に従来のネットワークは有線で接続することが主流であったが、近年は電波を用いた無線通信によるネットワーク網の構築や研究開発が盛んに行われている。
【０００３】
無線通信ネットワークは、コンピュータと周辺機器が通信するなど、個別の機器同士が通信を行うために用いられたり、コンピュータや端末装置からインターネットやイントラネットを利用するために用いられたりしている。
【０００４】
また、下記の特許文献１には、コードレス圏にあり、かつ充電機にセットされていないときには計時部を機能させ設定された時間が経過したとき充電要求警告をする携帯無線電話装置が記載されている。
【０００５】
【特許文献１】特開平５−３４４０５６号公報
【発明の開示】
【発明が解決しようとする課題】
【０００６】
しかしながら、例えば、無線通信ネットワークを利用できる通信携帯端末等では、無線通信ネットワークを利用するために場所に応じて通信方式や通信設定を変更する必要がある場合がある。現時点では複数の通信方式や通信設定が利用できる通信携帯端末において、通信方式や通信設定の変更は全て手動で行うものがほとんどである。
【０００７】
最近の携帯電話の中には、デュアルモードと呼ばれる複数の通信方式を自動的に切り換えて利用できる携帯電話が現れだしたが、それらが自動的に通信方式を切り換えられるのは携帯電話の基地局を頼りにしている。携帯電話やＰＨＳ、アクセスポイントといったような基地局を経由しない通信を行う通信携帯端末では自動的に通信方式や通信設定を切り換える手段がない状況であり、通信携帯端末の利用者は手動で切り換える不便を強いられている状況にある。
【０００８】
本発明は、上記課題に鑑み、通信方式や通信設定を自動的に切換可能な通信技術を提供することを目的とする。
【課題を解決するための手段】
【０００９】
本発明の通信システムは、第１の端末装置及び第１の充電装置を有する通信システムであって、前記第１の端末装置は、複数の通信方式又は通信設定で通信可能な通信手段を有し、前記第１の充電装置は、前記第１の端末装置を充電可能な充電手段と、前記第１の端末装置と通信可能な通信手段とを有することを特徴とする。
【００１０】
本発明の通信方法は、第１の端末装置及び第１の充電装置の通信方法であって、前記第１の端末装置は、前記第１の充電装置との通信が通信圏内の間は第１の通信方式又は第１の通信設定で通信を行う第１の通信ステップと、前記第１の端末装置は、前記第１の充電装置との通信が通信圏外になった場合には前記第１の通信方式又は第１の通信設定と異なる第２の通信方式又は第２の通信設定を用いて通信を行う第２の通信ステップとを有することを特徴とする。
【００１１】
本発明の端末装置は、複数の通信方式又は通信設定で通信可能な通信手段と、充電装置との通信が通信圏内の間は第１の通信方式又は第１の通信設定で通信を行い、充電装置との通信が通信圏外になった場合には前記第１の通信方式又は第１の通信設定と異なる第２の通信方式又は第２の通信設定を用いて通信を行う通信制御手段とを有することを特徴とする。
【００１２】
本発明の充電装置は、端末装置を充電可能な充電手段と、端末装置と通信可能な通信手段とを有することを特徴とする。
【発明の効果】
【００１３】
端末装置及び充電装置が通信を行うことができる。これにより、端末装置は、通信方式又は通信設定を自動的に切換可能になる。
【発明を実施するための最良の形態】
【００１４】
以下、添付図面を参照して本発明の好適な実施の形態を詳細に説明する。
以下、簡単に本発明の実施の形態の概要を述べると、本実施の形態では、複数の通信方式又は通信設定で通信可能な端末装置と、通信装置と通信可能な充電装置とで構成される通信システムと通信自動切換方式を提供するものである。
【００１５】
(第１の実施形態)
まず、図１を用いて本発明の第１の実施形態の構成図を説明する。端末装置１１は、通信装置１２と端末制御部１３で構成されており、端末制御部１３はＣＰＵやメモリ、記憶装置などで構成される。
【００１６】
端末装置１１用の充電器１４は、通信装置１５と充電装置１６で構成されており、通信装置１２と通信装置１５は無線信号Ｓ１０で通信を行うことによりお互いを認識し合うことができる装置である。
【００１７】
次に、図２の通信手順図と図３の端末装置１１の充電器１４との通信処理の流れ図を用いて説明する。端末装置１１は、予め設定された時間周期に達したかどうかの確認Ｓ３１を行い、設定時間に達していれば充電器１４の探索Ｓ３２を実行する。
【００１８】
端末装置１１が充電器１４の探索を行い充電器１４との間で行う時の無線信号Ｓ１０の通信は、通信圏内用に設定された通信方式・通信設定を用いるか、端末装置１１の通信装置１２と充電器１４の通信装置１５で用いる通信方式・通信設定は、端末装置１１が自動切換を行う通信方式や通信設定とは異なる独立した通信方式を用いるかのどちらかの方法で実現しているものとする。
【００１９】
充電器１４の探索Ｓ３２では、端末装置１１から充電器１４への問い合わせ信号Ｓ２１を送信し、端末装置１１は充電器１４からの応答Ｓ２２があるまで一定時間待つ。
【００２０】
端末装置１１は、充電器１４からの応答信号Ｓ２２を受信したのを確認Ｓ３３したら、充電器１４のＩＤ確認Ｓ３４を行い、もし一定時間を過ぎても充電器１４からの応答信号Ｓ２２がない場合は通信方式・設定切換Ｓ３９を実行する。
【００２１】
ＩＤ確認Ｓ３４では、端末装置１１から充電器１４へＩＤ確認信号Ｓ２３を送信し、ＩＤ確認信号Ｓ２３を受信した充電器１４は通信装置１５に予め記録されたＩＤ返答Ｓ２４を端末装置１１へ送信する。
【００２２】
充電器１４からのＩＤ返答Ｓ２４を受け取った端末装置１１は、ＩＤが合致するかどうか確認Ｓ３５を行い、もし充電器１４のＩＤが合致した場合は現在使用している通信方式が充電器１４と通信できる時に用いる圏内用になっているかどうかの確認Ｓ３６を行う。
【００２３】
端末装置１１の通信方式が充電器１４と通信できる圏内用である場合、通信設定が充電器１４と通信できる圏内用であるかどうかを確認Ｓ３７し、通信設定も充電器１４と通信できる圏内用であれば次の設定時間Ｓ３１が来るのを待つ。もし通信方式もしくは通信設定が充電器１４と通信できる圏内用でない場合は、端末装置１１は通信方式・設定を圏内用に切換Ｓ３８を実行し、次の設定時間の確認Ｓ３１に戻る。
【００２４】
端末装置１１は、もし充電器１４からの応答Ｓ２２がない場合、又は充電器１４のＩＤ返答Ｓ２４を受信しＩＤが合致Ｓ３５しなかった場合、通信方式・設定を圏外用に切換Ｓ３９を実行し、次の設定時間の確認Ｓ３１に戻る。
【００２５】
これにより、端末装置１１が充電器１４との通信可能な圏内にいる間は圏内用の通信方式・設定に自動切換を行うことが出来ると同時に、端末装置１１が充電器１４と通信不可能な圏外にいる間は圏外用の通信方式・設定を使用するように自動的に切換を行うことが出来るようになる。
【００２６】
(第２の実施形態)
第１の実施形態を更に発展させた本発明の第２の実施形態を説明する。まず、図４を用いて本実施形態の構成図を説明する。
【００２７】
２組の端末装置と充電池の組である端末装置４２０と充電器４１０、端末装置４３０と充電器４４０とで構成される。
【００２８】
充電器４１０と充電器４４０は、それぞれ通信装置４１１、４４１と充電装置４１２、４４２とで構成されている。
【００２９】
端末装置４２０は、通信装置４２１と制御装置４２２と記憶装置４２３で構成され、同様に端末装置４３０は、通信装置４３１と制御装置４３２と記憶装置４３３で構成される。
【００３０】
端末装置４２０の通信装置４２１は、充電器４１０の通信装置４１１と定期的に通信を行い端末装置４２０が充電器４１０と通信可能な範囲にいるかどうかの検知Ｓ４０１を実行する。端末装置４３０の通信装置４３１は、充電器４４０の通信装置４４１と定期的に通信を行い端末装置４３０が充電器４４０と通信可能な範囲にいるかどうかの検知Ｓ４０３を実行する。
【００３１】
端末装置４２０と端末装置４３０は、それぞれ通信装置４２１と通信装置４３１を用いて通信Ｓ４０２を行い、お互いが所持するデータの送受信を行うことが出来る。
【００３２】
端末装置４２０と端末装置４３０の制御装置４２２、４３２は、それぞれの通信装置４２１、４３１の制御を行うと共に記憶装置４２３、４３３に端末装置４２０と端末装置４３０が送受信するデータの読み書きを制御する。
【００３３】
端末装置４２０と充電器４１０、端末装置４３０と充電器４４０は、それぞれ第１の実施形態で例示した通信方式・通信設定の自動切換機能を有しており、端末装置が充電器と通信できる通信圏内にいるときは通信圏内用の通信方式・通信設定を用い、端末装置が充電器と通信できない通信圏外にいるときは通信圏外用の通信方式・通信設定を用いる。
【００３４】
次に、複数の端末装置が移動した際に起こりうる通信方式又は通信設定の自動切換の動作を、図５の通信手順図を用いて説明する。
【００３５】
図５の通信手順図では、端末装置４２０と端末装置４３０はそれぞれの充電器４１０、充電器４４０と通信可能な圏内に存在していたが、端末装置４２０と端末装置４３０が通信中に端末装置４２０が充電器４１０と通信できない通信圏外に移動してしまった時の通信動作手順を示している。
【００３６】
端末装置４２０と端末装置４３０は、それぞれ充電器４１０、充電器４４０と通信可能な範囲にいるかどうか検知するため、問い合わせ信号Ｓ５０１、Ｓ５０２をそれぞれの充電器に対して送信する。
【００３７】
端末装置４３０は充電器４４０と通信可能な通信圏内に存在するため、充電器４４０は端末装置４３０からの問い合わせＳ５０２を受け取り、応答Ｓ５０３を端末装置４３０に対して送信する。
【００３８】
端末装置４３０は応答Ｓ５０３を受信したら、ＩＤ確認Ｓ５０４を充電器４４０に対して送信し、充電器４４０はＩＤ確認Ｓ５０４を受信したらＩＤ返答Ｓ５０５を端末装置４３０に対して送信する。端末装置４３０はＩＤ返答Ｓ５０５を受け取りＩＤの確認をおこない充電器４４０が通信可能な圏内にいることを確認する。
【００３９】
一方、端末装置４２０は、一定時間待っても充電器４１０からの応答がないため、充電器４１０と通信圏外に移動したと認識し、通信方式・通信設定を通信圏外用に切り換えるための処理を開始する。
【００４０】
まず、端末装置４２０は通信中の相手である端末装置４３０に対して、通信方式・通信設定を切り換えるために通信方式切換要求Ｓ５０６を送信する。
【００４１】
通信方式切換要求Ｓ５０６を受信した端末装置４３０は、端末装置４２０からの切換要求に応えるために通信方式切換応答Ｓ５０７を送信する。
【００４２】
端末装置４３０からの通信方式切換応答Ｓ５０７を受信した端末装置４２０は、現在行っている通信を一時停止するために通信一時停止要求Ｓ５０８を端末装置４３０へ送信すると同時に端末装置４３０に対してのデータ送信を一時停止する。
【００４３】
通信一時停止要求Ｓ５０８を受信した端末装置４３０は、通信一時停止応答Ｓ５０９を端末装置４２０に対して送信すると同時に端末装置４２０に対してのデータ送信を一時停止し、通信圏外用の通信方式・通信設定に切り換える。
【００４４】
端末装置４２０は、端末装置４３０からの通信一時停止応答Ｓ５０９を受信したら、通信圏外用の通信方式・通信設定に切り換え、通信圏外用の通信方式・通信設定に切換が完了すると同時に端末装置４３０との再接続を行うため端末装置４３０に対し通信再開要求Ｓ５１０を送信する。
【００４５】
端末装置４３０は、通信圏外用の通信方式・通信設定に切り換え後、端末装置４２０から再接続要求が来るまで待ち、通信再開要求Ｓ５１０を受信したら通信再開応答Ｓ５１１を端末装置４２０に送信し、一時停止していた通信を再開する。
【００４６】
端末装置４２０は、通信再開応答Ｓ５１１を受信したら端末装置４３０との通信を再開する。
【００４７】
次に、共に充電器と通信圏外にいた端末装置の一方が充電器と通信圏内に移動した場合の通信動作を、図６の通信手順図を用いて説明する。
【００４８】
端末装置４２０と端末装置４３０は、それぞれ充電器４１０、充電器４４０との通信圏外にいるため通信圏外用の通信方式・通信設定を用いて、相互にデータの送受信を行っている。
【００４９】
端末装置４２０と端末装置４３０は、充電器との通信圏内に移動したかどうかを検知するために定期的にそれぞれ充電器４１０と４４０に対して問い合わせＳ６０１、問い合わせＳ６０２を行う。
【００５０】
端末装置４２０が充電器４１０と通信可能な通信圏内に移動したとき、充電器４１０は端末装置４２０からの問い合わせＳ６０１を受信し、応答Ｓ６０３を端末装置４２０に送信する。
【００５１】
応答Ｓ６０３を受信した端末装置４２０は、ＩＤ確認Ｓ６０４を充電器４１０に対して送信し、充電器４１０はＩＤ確認Ｓ６０４を受信したらＩＤ応答Ｓ６０５を端末装置４２０に対して送信する。
【００５２】
ＩＤ応答Ｓ６０５を受信した端末装置４２０は、充電器４１０と通信圏内に移動したと認識し、通信方式・通信設定を通信圏内用に切り換える為に通信中である端末装置４３０に対して通信方式切換要求Ｓ６０６を送信する。
【００５３】
通信方式切換要求Ｓ６０６を受信した端末装置４３０は、問い合わせＳ６０２に対する充電器４４０からの応答がないために未だ充電器と通信圏外にあると認識すると共に、充電池４４０とは通信圏外にいるのに端末装置４２０から送信されてきた通信方式切換要求が通信圏内用に変更する要求であったため、通信圏内用に変更できない事を伝えるために通信方式切換拒否Ｓ６０７を端末装置４２０に送信する。
【００５４】
通信方式切換拒否Ｓ６０７を受信した端末装置４２０は、端末装置４３０がまだ充電器４４０と通信できない位置にいることを知り、通信方式を通信圏内用に切り換えることを止め通信圏外用の通信方式・通信設定のまま端末装置４３０との通信を維持し、端末装置４３０から通信圏内用の通信方式切換要求が来るまで通信方式自動切換機能を一時停止する。
【００５５】
このように、通信中の複数の端末装置が、それぞれ充電器と通信圏内にいるかどうかを検知することにより、お互いの通信方式・通信設定を利用者の手を煩わせることなしに自動的に切り換えることが出来るようになる。
【００５６】
(第３の実施形態)
第２の実施形態を更に発展させた本発明の第３の実施形態を説明する。まず、図７と図８を用いて本実施形態の構成を説明する。
【００５７】
本実施形態の通信システムは、ワイヤレスカメラ７１とワイヤレスモニタ７２と充電器７３で構成される。ワイヤレスカメラ７１は、記憶装置８１１、入力装置８１２、制御装置８１３、出力装置８１４、通信装置８１５、電源装置８１６で構成され、入力装置８１２で撮影した静止画や動画を出力装置８１４に表示しながら通信装置８１５を用いて伝送Ｓ７４することができると共に、記憶装置８１１に静止画や動画を記録することもできる。
【００５８】
ワイヤレスモニタ７２は、記憶装置８２１、入力装置８２２、制御装置８２３、出力装置８２４、通信装置８２５、電源装置８２６で構成され、通信装置８２５で受信したワイヤレスカメラ７１から送られてきたＳ７４の静止画や動画を出力装置８２４に表示することができると共に、通信装置８２５で受信した静止画や動画を記憶装置８２１に記録することができる。
【００５９】
また、ワイヤレスモニタ７２の入力装置８２２を用いて、ワイヤレスカメラ７１の撮影開始や停止をリモート操作することが可能である。
【００６０】
充電器７３は、通信装置８３１と充電装置８３２で構成され、通信装置８３１はワイヤレスカメラ７１の通信装置８１５と無線Ｓ７５を使って、ワイヤレスモニタ７２の通信装置８２５と無線Ｓ７６を使って通信することが可能である。充電装置８３２はワイヤレスカメラ７１の電源装置８１６とワイヤレスモニタ７２の電源装置８２６に対して充電を行うことが可能である。
【００６１】
ワイヤレスカメラ７１は充電器７３と定期的に通信Ｓ７５を行い、ワイヤレスモニタ７２は充電器７３と定期的に通信Ｓ７６を行う。通常は、ワイヤレスカメラ７１もワイヤレスモニタ７２も充電池７３との通信圏内にいる時はIEEE802.11a方式を使って無線通信Ｓ７４を行うように設定されている。ワイヤレスカメラ７１とワイヤレスモニタ７２のどちらか、又は両方が充電器７３との通信圏外に移動している時はIEEE802.11g方式を使って無線通信Ｓ７４を行うように設定されている。
【００６２】
ワイヤレスカメラ７１と充電器７３との間の通信と、ワイヤレスモニタ７２と充電器７３との間の通信とは、IEEE802.11g又はBluetoothのような微弱な無線電波を使用する。
【００６３】
次に図９を用いて、ワイヤレスカメラ７１の制御装置８１３とワイヤレスモニタ７２の制御装置８２３が制御する、通信方式自動切換の処理の流れを説明する。
【００６４】
ワイヤレスカメラ７１の制御装置８１３も、ワイヤレスモニタ７２の制御装置８２３も通信方式自動切換に関して全く同じ処理をするので、以下はワイヤレスカメラ７１を例に説明する。
【００６５】
まず、制御装置８１３は予め設定された一定時間間隔が過ぎたかどうかの確認Ｓ９０１を常に監視しており、設定された時間が過ぎていれば充電器探索Ｓ９０２を実行する。
【００６６】
制御装置８１３は、予め設定された一定時間の間、充電器から応答があるのを待ち、応答があったかどうかの判別Ｓ９０３を行う。
【００６７】
制御装置８１３は、充電器からの応答を受信した場合、ＩＤ確認Ｓ９０４を実行し制御装置８１３に登録された充電器７３であるかどうかの確認Ｓ９０５を行う。ＩＤが合致した場合、ワイヤレスモニタ７２と通信接続が確立した時点でワイヤレスモニタ７２が充電器７３と通信圏内にいるかどうかの情報を取得し記憶装置８１１に一時保存しておいた情報と照合Ｓ９０６を実行する。
【００６８】
制御装置８１３は、ワイヤレスモニタ７２が通信圏内であると認識した場合、通信装置８１５の通信方式が充電器７３との通信圏内用であるかどうかの確認Ｓ９０７を実行し、通信方式が通信圏内用であった場合には設定時間確認Ｓ９０１に戻る。
【００６９】
もし、充電器からの応答Ｓ９０３がなかったり、ＩＤ合致Ｓ９０５に失敗した場合には、制御装置８１３は通信装置８１５の通信方式が通信圏内用であるかどうかの確認Ｓ９１２を実行する。その時、通信装置８１５の通信方式が通信圏内用であったり、ワイヤレスモニタ７２が充電器７３と通信圏内にいるかどうか確認Ｓ９０７を行った時通信圏外にいることが判明した場合は通信圏外用に変更する処理を実行する。
【００７０】
もし、充電器７３からの応答Ｓ９０３を受信しＩＤ合致Ｓ９０５に成功したが通信装置８１５が通信圏外用の通信方式を使用していると認識Ｓ９０６した場合、制御装置８１３は通信圏内用に変更する処理を実行する。
【００７１】
制御装置８１３が通信方式を変更する処理に入った時、もしワイヤレスカメラ７１からワイヤレスモニタ７２に対して撮影画像を送信中であれば、出力装置８１４に通信方式を自動変更する事を予め設定した時間だけ表示Ｓ９０７し、利用者に通信方式を切り換えることを明示する。
【００７２】
もし利用者が通信方式を切り換えたくない場合は、自動切換の拒否を行うことができ、その場合、制御装置８１３は利用者からの入力により自動切換を拒否されたと判別Ｓ９０８し、通信方式の自動切換処理を中断し、設定時間確認Ｓ９０１に戻る。
【００７３】
もし、予め設定しておいた時間内に利用者からの通信方式変更拒否がない場合は、制御装置８１３はワイヤレスモニタ７２に対し通信方式変更要求Ｓ９０９を送信する。
【００７４】
もし、ワイヤレスモニタ７２から通信方式変更を拒否されたと判別Ｓ９１０した場合は、制御装置８１３は通信方式の自動切換処理を中断し、設定時間確認Ｓ９０１に戻る。
【００７５】
もし、ワイヤレスモニタ７２から通信方式変更について拒否されなかった場合は、充電器７３との通信で通信圏内用を使っていた場合は通信圏外用であるIEEE802.11gに、通信圏外用を使っていた場合は通信圏内用であるIEEE802.11aに通信方式の変更Ｓ９１１を実行し、設定時間確認Ｓ９０１に戻る。
【００７６】
もし、ワイヤレスカメラ７１が撮影している動画をリアルタイムでワイヤレスモニタ７２に送信してワイヤレスモニタ７２の出力装置８２４に表示し記憶装置８２１に録画中であった場合に通信方式自動切換が実行される時、ワイヤレスカメラ７１の制御装置８１３はワイヤレスカメラ７１とワイヤレスモニタ７２の通信方式の切換が完了するまで、記憶装置８１１に切換中の動画を一時保存し、ワイヤレスカメラ７１とワイヤレスモニタ７２の通信方式の切換が完了すると同時に通信を再開し記憶装置８１１に一時保存した動画データをワイヤレスモニタ７２へ送信する。
【００７７】
このように、充電器と通信できる通信圏内にワイヤレスカメラとワイヤレスモニタが存在する時はIEEE802.11a方式を用いて高速な通信を行うことが可能となり、ワイヤレスカメラ又はワイヤレスモニタのいずれかが充電器と通信できない通信圏外に移動してしまった時はIEEE802.11g方式を用いるように自動的に切り換える事ができるようになり、利用者が意識しなくても屋内・屋外での無線ＬＡＮの使い分けができるようになる。高速通信可能なIEEE802.11a方式は、屋内でしか使用することができない決まりがある。IEEE802.11a方式は屋内用通信方式であり、IEEE802.11g方式は屋外用通信方式である。
【００７８】
また、通信方式の自動切換時に通信方式を切り換えることを利用者に明示し、利用者が自動切換を中断できる機能を提供する事により、利用者がワイヤレスカメラとワイヤレスモニタが通信可能な範囲で、かつ充電器と通信可能である通信圏内、即ちIEEE802.11a方式を用いた通信圏内で行動することを促すと同時にIEEE802.11a方式の高速通信を維持することが可能となる。
【００７９】
なお、この発明は上記実施形態に限定されず、この発明を逸脱しない範囲内において種種変形応用可能である。
【００８０】
例えば、通信方式を自動的に切り換えた時、チャネル数の増減を行い通信方式に最適化した無線通信伝送路を確保するようにする事により端末装置同士の通信が安定した通信速度を得ることができるようにする事なども、この発明の応用の範疇にあることは勿論である。
【００８１】
また例えば、通信方式を自動的に切り換える時に端末同士が動画のリアルタイム・ストリーミング等のような途中で中断しては困るような通信を行っている最中だった場合、切り換え後の通信方式・通信設定での接続を確立しておいてから通信を切り換えるようにしリアルタイムな通信データが途切れないようにする事なども、この発明の応用の範疇にあることは勿論である。
【００８２】
また例えば、端末装置が充電器と通信圏外になり何度か通信方式切換の確認表示を行い利用者が通信方式切換を拒否しても、一定回数もしくは一定時間が経過すると強制的に通信圏外用の通信方式・通信設定に切り換えるようにする機能を持たせる事なども、この発明の応用の範疇にあることは勿論である。
【００８３】
また例えば、この発明では常に端末装置が充電器へ問い合わせを行い充電器と通信圏内かどうか検知する構成になっているが、逆に充電器が定期的に電波を送信し端末装置に通信圏内であることを知らせ端末装置は充電器からの電波を受信することにより充電器と通信圏内にいるかどうかを検知する構成にすることなども、この発明の応用の範疇にあることは勿論である。
【００８４】
以上説明したように、第１〜第３の実施形態によれば、端末装置が定期的に充電器と通信可能かどうかを検知することにより、自動的に通信方式もしくは通信設定を切り換えることができる端末装置と通信方式自動切換方法を提供する事ができる。
【００８５】
上記実施形態の通信システム及び通信自動切換方法は以下のような構成を備える。
通信システムは、複数の通信方式又は通信設定で通信可能な手段を有する端末装置と、前記端末装置と通信可能な通信装置を有する充電装置とで構成され、前記端末装置が前記充電装置と通信できる通信圏内にいるかどうかを判別する機能と、前記端末装置が通信方式又は通信設定を自動的に切り換える機能とを有する。
【００８６】
また、通信システムは、複数の通信方式又は通信設定で通信可能な手段を有する端末装置と、前記端末装置と通信可能な通信装置を有する充電装置とで構成された複数の前記端末装置と前記充電装置の組で構成され、前記端末装置同士はお互い通信することが可能であり、全ての前記端末装置が組みになっている前記充電装置と通信できる通信圏内にいるかどうかを判別する機能と、一つの前記端末装置が前記充電装置と通信できない通信圏外に移動した時、全ての前記端末装置の通信方式及び通信設定を通信圏外用に自動的に切り換える機能とを有する。
【００８７】
また、通信システムは、複数の通信方式又は通信設定で通信可能な手段を有する端末装置と、前記端末装置と通信可能な通信装置を有する充電装置とで構成された複数の前記端末装置と前記充電装置の組で構成され、前記端末装置同士はお互い通信することが可能であり、全ての前記端末装置が組みになっている前記充電装置と通信できる通信圏内にいるかどうかを判別する機能と、複数の前記端末装置が全て前記充電装置と通信圏外にあり、一つの前記端末装置が前記充電装置と通信可能な通信圏内に移動した時、他の前記端末装置が前記充電装置と通信圏外である場合は通信圏外の通信方式又は通信設定を維持する機能とを有する。
【００８８】
また、通信システムは、複数の通信方式又は通信設定で通信可能な手段を有する端末装置と、前記端末装置と通信可能な通信装置を有する充電装置とで構成された複数の前記端末装置と前記充電装置の組で構成され、前記端末装置同士はお互い通信することが可能であり、全ての前記端末装置が組みになっている前記充電装置と通信できる通信圏内にいるかどうかを判別する機能と、複数の前記端末装置が全て前記充電装置と通信圏外にあり、その後、複数の前記端末装置が全て前記充電装置と通信可能な通信圏内に移動した時、全ての前記端末装置の通信方式又は通信設定を通信圏内用に自動的に切り換える機能とを有する。
【００８９】
また、通信システムは、複数の通信方式又は通信設定で通信可能な手段を有する端末装置と、前記端末装置と通信可能な通信装置を有する充電装置とで構成された複数の前記端末装置と前記充電装置の組で構成され、前記端末装置同士はお互い通信することが可能であり、いずれかの前記端末装置が通信方式又は通信設定を自動的に切り換えようとした時、利用者に通信方式又は通信設定を切り換える事を通知する機能と、利用者が通信方式又は通信設定の自動切換を止めさせる機能とを有する。
【００９０】
また、通信システムは、複数の通信方式又は通信設定で通信可能な手段と、通信データを記憶する手段とを有する端末装置と、前記端末装置と通信可能な通信装置を有する充電装置とで構成された複数の前記端末装置と前記充電装置の組で構成され、前記端末装置同士はお互い通信することが可能であり、前記端末装置が通信方式又は通信設定を自動的に切り換えようとした時、通信方式又は通信設定を切り換えている最中に発生した通信データを一時的に記憶しておき通信方式又は通信設定が切り替わった後に一時記憶しておいた通信データを送受信する機能とを有する。
【００９１】
なお、上記実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【図面の簡単な説明】
【００９２】
【図１】本発明の第１の実施形態における構成を表す図である。
【図２】本発明の第１の実施形態における通信の手順を表す図である。
【図３】本発明の第１の実施形態における端末装置の自動切換処理の流れ図である。
【図４】本発明の第２の実施形態における構成を表す図である。
【図５】本発明の第２の実施形態における通信の手順を表す図である。
【図６】本発明の第２の実施形態における通信の手順を表す図である。
【図７】本発明の第３の実施形態における構成を表す図である。
【図８】本発明の第３の実施形態における構成を表す図である。
【図９】本発明の第３の実施形態における通信方式自動切換の流れ図である。
【符号の説明】
【００９３】
１１  端末装置
１４  充電器
７１  ワイヤレスカメラ
７２  ワイヤレスモニタ
７３  充電器
４１０  充電器
４２０  端末装置
４３０  端末装置
４４０  充電器
【図１】
2006340002.tif 000003
【図２】
2006340002.tif 000004
【図３】
2006340002.tif 000005
【図４】
2006340002.tif 000006
【図５】
2006340002.tif 000007
【図６】
2006340002.tif 000008
【図７】
2006340002.tif 000009
【図８】
2006340002.tif 000010
【図９】
2006340002.tif 000011